(57)【要約】【課題】チェーンハンマーを地面に叩きつけることにより、地中に埋まった地雷を爆破して処理する場合に、シリンダー等の伸縮機構を初めとして各部品が地雷の爆発に対して損傷を受けるおそれがない。【解決手段】バックホウ等のショベル機で使用する重機車両の起伏かつ屈折自在なアーム２の先端に、着脱自在に取り付けるレーキ９にその前方に位置する爆風防止板３２を回転自在に設け、爆風防止板３２から前方に突設するアーム３３でチェーンハンマー３４を設けたドラム３５を支承するチェーン式地雷爆破装置３６を該爆風防止板３２に一体的に設け、爆風防止板３２の裏側とレーキ９とにショックアブソーバー４１を架設した。【選択図】      図１
2004301439.tif 000002
【特許請求の範囲】
【請求項１】
バックホウ等のショベル機で使用する重機車両の起伏かつ屈折自在なアームの先端に、着脱自在に取り付けるレーキにその前方に位置する爆風防止板を回転自在に設け、爆風防止板から前方に突設するアームでチェーンハンマーを設けたドラムを支承するチェーン式地雷爆破装置を該爆風防止板に一体的に設け、爆風防止板の裏側とレーキとにショックアブソーバーを架設したことを特徴とする地雷処理装置。
【請求項２】
ショックアブソーバーは、ショックアブソーバー付きのシリンダーとしてコイルバネを内蔵させたシリンダーを爆風防止板の裏側とレーキとに架設するチェーンハンマー位置制御用の油圧またはエアーシリンダーと結合させる請求項１記載の地雷処理装置。
【請求項３】
爆風防止板の上部に爆風抜き用の窓孔を設け、この窓孔にチェーンすだれを設ける請求項１または請求項２に記載の地雷処理装置。
【請求項４】
チェーンの先端の分銅は、チェーンの先端にシャックルによって取り付けられ、打撃面の形状をそり状の曲率面とする請求項１ないし請求項３のいずれかに記載の地雷処理装置。
【発明の詳細な説明】
【０００１】
【発明の属する技術分野】
本発明は、地中に埋設された地雷を強制的に爆破して処理する地雷処理機に関するものである。
【０００２】
【従来の技術】
現在、地球上の各地において、しばしば大規模な紛争が発生し、戦闘手段の１つとして地雷が使用されている。そして、停戦後に安全な通行等を確保するためには、地中に埋設された地雷を処理する必要がある。従来、地中に埋設された地雷を処理する場合、一般に、作業者が地雷探知器を支持し、歩きながら手動によって地雷探知器を操作して地雷の位置を確認したのち、地雷を爆破したり掘り起こして回収するなどしている。
【０００３】
これに対して、発明者は先に、安全に、かつ広い範囲に渡って処理または探知でき、また、急な斜面や機械が入れないような狭い場所へも長いリーチを伸ばして広範囲に作業でき、土砂の埋まっている対人用の地雷でもこれを確実に掘り出して切削破壊でき、これに加えて草、ブッシュ、地雷、灌木、切株、高い喬木などの切削・粉砕による幅広い作業が可能で、作業量も大きく、粉砕処理したあとも地雷や灌木などの残骸を効率良く選別または、整地や溝掘りなどの作業に使用できるものとして下記公報のものを出願し、特許を取得した。
【０００４】
【特許文献１】
特開平１１−１８３０９５  号公報（特許第３１７７７３７  号）
【特許文献２】
特開２０００−１３０９９６  号公報（特許第３０１６０１８  号）
【特許文献３】
特開２００１−７４３９８    号公報（特許第３０９６８４７  号）
【０００５】
これらは、図１３に示すように、バックホウ等のショベル機で使用する重機車両１の起伏かつ屈折自在なアーム２の先端に、バケットに代えて回転ドラム１３の周面にカッタビット１１を植設し、深さ３０ｃｍ程度以上まで切削可能で、進行方向に対して反対側に排土可能なロータリカッタ１２を取り付けたものである。
【０００６】
アーム２の先端に回転式カッタを装備し、カッタを回転させながら旋回、ブームアームを作動させ、荒地に生えているブッシュ、草等も切削粉砕すると同時に、さらに地表面下に埋設されている対人地雷をも一気に粉砕処理することができる。特に、高速で回転するロータリカッタは回転ドラム周面にカッタビットを植設し、深さ３０ｃｍ程度まで切削可能なものなので、対人地雷が土中に埋もれていてもこれを掘り出し、カッタビットが地雷に接触すると打撃された対人地雷は変形し、内部の火薬系列が破壊されるとともに、電気回路が切断される。
【０００７】
次の歯（カッタビット）で対人地雷はロータリカッタ中に巻き込まれ、ケースと蓋が分離して火薬類が粉々に飛散してしまう。
【０００８】
このため、電気式信管の対人地雷はまったく爆発せず、一方、機械式信管の対人地雷では、信管のみが破裂するだけで、対人地雷本体が爆発することはない。処理された地雷は、ケース、蓋、電気回路基板に分かれて地上に排出され、進行方向に対して反対側に排土されるので、対人地雷の上に泥が被さりこれが埋まってしまうこともない。
【０００９】
【発明が解決しようとする課題】
前記地雷処理装置は、もっぱら対人地雷の地雷処理を行うもので、対戦車地雷等の比較的大型地雷については、ロータリカッタでの破砕処理は適切なものではなかった。そこで、対戦車地雷等はスケルトンバケットを使用し、標示された位置の土中にある対戦車地雷、不発弾等を爆発させないように慎重に掘り出し、機械本体後方にスケルトンバケット内の土を少しずつ蒔きだし、対戦車地雷、不発弾を分離し、露出させる。事後、人力等により、爆発地点に運搬し処理をしていた。
【００１０】
このような対戦車地雷等の比較的大型地雷について対戦車地雷等の比較的大型地雷についての処理として、回転ドラムにチェーンを設け、チェーンを回転によって地面に叩きつけ、地中に埋まる地雷を爆発させる方法が、特開平９−３１１０００  号公報、特開平１０−２５３２９８  号公報、特開平１１−３１６１００  号公報等に提案されている。
【００１１】
例えば、特開平９−３１１０００  号公報では、図１３に示すように、これらは、例えばブルドーザと同様に構成したクローラ走行体による走行体１５に、地雷を処理するための作業機として、多数のチェーン１６を備えたチェーン式地雷爆破装置１７、チェーン式地雷爆破装置１７によって爆破できなかった地雷を回収するための地雷回収手段であるレーキ回収装置１８を備えたものが示される。
【００１２】
レーキ回収装置１８は、レーキ本体１９が、下部先端に複数のレーキ刃２１を幅方向に等間隔に取り付けた受板２０を有し、地雷を確実に回収できるようにしてある。受板２０の上部には、格子状（または網状）の窓部２２を設けて、運転室からレーキ回収装置１８の先端部を視認することができる。
【００１３】
レーキ本体１９は、背面の下部が、基端側を走行体１５のトラックフレーム２３に枢着してある一対の揺動アーム２４の先端部に枢着し、レーキ本体１９の背面上部と各揺動アーム２４の中間部との間には、俯仰シリンダ２５が軸着し、この俯仰シリンダ２５を作動させることにより、レーキ本体１９を揺動アーム２４の先端部を中心に俯仰させることができる。
【００１４】
また、レーキ本体１９の背面には、レーキ本体１９を上下方向に揺動させるレーキシリンダ２７のロッドを枢着し、シリンダヘッド側が走行体１５に設けた３角形状をなす取付ブラケット２８の上端部に枢着してあり、ロッドを伸縮することにより、レーキ本体１９を上下動させることができる。そして、レーキ本体１９は、通常のブルドーザと同様に、走行体１５の左右方向に傾斜可能となっていて、いわゆるチルト操作ができるようにしてある。
【００１５】
地雷爆破装置１７は、レーキ本体１９に取り付けてある。すなわち、レーキ本体１９の両側部には、支持アーム２９の基端部を揺動自在に取り付け、これらの支持アーム２９の先端部に、チェーン１６を取り付けた回転軸３０を回転自在に設けた。また、レーキ本体１９の支持アーム２９の枢着点の上方と各支持アーム２９の上部との間には、揺動シリンダ３１を軸着し、支持アーム２９を介して回転軸３０を上下動できる。
【００１６】
そして、回転軸３０の周面には、回転軸３０の軸方向と周方向とに適宜の間隔をもって固定した複数のチェーン１６が固定してある。そして、一方の支持アーム２９には、回転軸３０の一端に接続した油圧モータを先端部に取り付け、この油圧モータを回転駆動することにより、回転軸３０を介してチェーン１６を振り回し、チェーン１６を地面に叩きつけて衝撃を与えることができる。
【００１７】
このようにして、複数のチェーンを回転させて地面に打撃を与え、爆破するようにしているため、作業者が地上において直接処理する必要がなく、作業者の危険を回避できるとともに、迅速な処理が可能となる。そして、地雷の埋設位置が深いために爆破できないものや不発地雷は、レーキ回収装置によって掘り起こして回収できるようにしているため、地雷の処理を安全、確実に行うことができる。
【００１８】
しかし、この処理方法は地雷を爆破することになるので、その爆発の勢いにより地雷処理装置や無限軌道車が損傷を受け、地雷除去作業に支障をきたす。特にチェーン式地雷爆破装置１７の部分は大きな衝撃を受ける。また、レーキ本体１９が凹状湾曲板として爆風防止板の役割も発揮できるが、このレーキ本体１９が自体も強力な爆風を受けると、各種シリンダー類に損傷を与えるおそれがある。
【００１９】
本発明の目的は前記従来例の不都合を解消し、チェーンハンマーを地面に叩きつけることにより、地中に埋まった地雷を爆破して処理する場合に、シリンダー等の伸縮機構を初めとして各部品が地雷の爆発に対して損傷を受けるおそれがないようにした地雷処理装置を提供することにある。
【００２０】
【課題を解決するための手段】
本発明は前記目的を達成するため、第１に、バックホウ等のショベル機で使用する重機車両の起伏かつ屈折自在なアームの先端に、着脱自在に取り付けるレーキにその前方に位置する爆風防止板を回転自在に設け、爆風防止板から前方に突設するアームでチェーンハンマーを設けたドラムを支承するチェーン式地雷爆破装置を該爆風防止板に一体的に設け、爆風防止板の裏側とレーキとにショックアブソーバーを架設したことを要旨とするものである。
【００２１】
第２に、ショックアブソーバーは、ショックアブソーバー付きのシリンダーとしてコイルバネを内蔵させたシリンダーを爆風防止板の裏側とレーキとに架設するチェーンハンマー位置制御用の油圧またはエアーシリンダーと結合させること、第３に、爆風防止板の上部に爆風抜き用の窓孔を設け、この窓孔にチェーンすだれを設けること、第４に、チェーンの先端の分銅は、チェーンの先端にシャックルによって取り付けられ、打撃面の形状をそり状の曲率面とすることを要旨とするものである。
【００２２】
請求項１記載の本発明によれば、爆風防止板とチェーン式地雷爆破装置は一体であり、これがバックホウ等のショベル機で使用する重機車両の起伏かつ屈折自在なアームの先端に着脱自在に取り付けるレーキに設けられ、チェーン式地雷爆破装置がドラムの回転によってチェーンを地面に叩きつけることにより、地中に埋まった地雷を爆破する。そして、レーキは事前に地雷等を掘り起したり、不発地雷を回収したりする作業を行う。
【００２３】
その際、地雷の爆発による爆風の衝撃をショックアブソーバーが吸収することにより、爆風防止板とチェーン式地雷爆破装置は衝撃を回避できるものとなり、これらのフレームやアームやシリンダーの変形、損傷を防止することができる。なお、爆風防止板とチェーン式地雷爆破装置は一体であり、いずれの受ける衝撃も前記ショックアブソーバーが吸収できるが、特に爆風防止板は衝撃を一手に受けるものであり、この爆風防止板の受ける衝撃を吸収できる。
【００２４】
請求項２記載の本発明によれば、前記作用に加えて、ショックアブソーバーはチェーンハンマー位置制御用の油圧またはエアーシリンダーと結合させることでこのシリンダーを確実に保護でき、また、場所を取らないで設けることができる。
【００２５】
請求項３記載の本発明によれば、爆風防止板の上部に爆風抜き用の窓孔を設けることで、爆風防止板が広面積で爆風を受けることによる過大な衝撃をこの窓孔より爆風を逃すことで和らげることができ、また、この窓孔にチェーンすだれを設けることで窓孔から抜け出ようとするフラグメント（破片）を阻止できる。しかも、チェーンすだれであることで、爆風に対する無理な阻止とはならない。
【００２６】
請求項４の本発明によれば、チェーンの先端の分銅は、チェーンの先端にシャックルによって取り付けられ、打撃面の形状をそり状の曲率面とすることでより打撃面積を広く確保でき、フレールハンマーとして効率のよい打撃ができる。また、分銅自体の痛みも少ないものとなる。
【００２７】
【発明の実施の形態】
以下、図面について本発明の実施形態を詳細に説明する。図１は本発明の地雷処理装置の１実施形態を示す斜視図で、前記従来例を示す図１３と同じく、本発明の地雷処理装置も現在市場で最も多用されているバックホー等のシャベル等で使用する重機車両（ベースマシン）１を使用するが、この重機車両１には起伏かつ屈折自在なアーム２と排土板１０とが設けられている。３は運転席（キャビン）、４は走行のための履帯であるが、このようなクローラ式のものの他に履帯の代わりに車輪を有するホイールタイプのものでもよい。履帯４では急な斜面等で威力を発揮するが、ホイールタイプの場合は平地での前（後）進力が増す。前記排土板１０は防爆用ブレードであり、ブレードシリンダー１０ａを有する。
【００２８】
なお、このようなクローラ式のものの他に履帯の代わりに車輪を有するホイールタイプのものでもよい。履帯４では急な斜面等で威力を発揮するが、ホイールタイプの場合は平地での前（後）進力が増す。
【００２９】
起伏かつ屈折自在なアーム２はブーム２ａ、アーム２ｂ、ブームシリンダ２ｃ、アームシリンダ２ｄ、バケットシリンダ２ｅで構成され、その先端にはアタッチメント側のピン６の抱持間隔を可変とするネジハンドル式のスライド機構５ｂを組み込んだアタッチメント着脱装置５を設けた。このアタッチメント着脱装置５はアタッチメントのピン６を抜かずに組み替えできるものでクイックヒッチと称せられ、その詳細は図１１、図１２で交換動作を説明する。
【００３０】
スライド機構５ｂは可動爪５ｃとロックバー５ｄとセットスクリュー５ｅからなる。脱着はアタッチメント側の油圧ホースを外した状態でこのアタッチメント着脱装置５側にピンに合わせたもう片側の可動爪５ｃを縮めておき、もう一つのピンに合わせた後、セットスクリュー５ｅを工具で回して可動させロックバー５ｄでロックさせる。
【００３１】
図中９はアタッチメントとしてのレーキで、レーキ９は、周知のごとく鋤状で、先端にレーキ刃９ａを設けた鋤の刃９ｂを幅方向に間隔を存して有し、図２等に示すように鋤の刃９ｂの下部同士の隙間は横桟による格子体９ｃとして構成した。また、上面は平坦面として、ここにブラケットにより支承する前記ピン６を相互に間隔を存して平行に設けた。
【００３２】
前記レーキ９の前方位置に、鋼製の壁板である爆風防止板３２を軸着して回転自在に設け、さらに、爆風防止板３２の前方にこれと一体にアーム３３を２本並行して突設する。なお、爆風防止板３２はレーキ９に前方に突設する支持アーム３７で下側近くを軸支するものであり、前記アーム３３はこの支持アーム３７に直状に並ぶ。
【００３３】
また、爆風防止板３２の上部には矩形の爆風抜き用の窓孔３２ａを設け（図示では左右に２個）、この窓孔３２ａに上端のみを固定して吊下げたチェーンを適宜間隔で並べてなるチェーンすだれ３８を設ける。
【００３４】
前記アーム３３はその先端でチェーンハンマー３４を設けたドラム３５を支承することでチェーン式地雷爆破装置３６を構成する。図中３９はドラム３５を回動するモータである。
【００３５】
チェーンハンマー３４は図６に示すように、チェーン３４ａの先端に分銅３４ｂをシャックル３４ｃを介して設けたものであるが、この分銅３４ｂは図７、図８に示すように打撃面４０の形状をそり状の曲率面とすることで、打撃面積を広く確保でき、フレールハンマーとして効率のよい打撃ができ、また、分銅３４ｂ自体の痛みも少ないものとなる。
【００３６】
また、爆風防止板３２の裏側とレーキ９とに図９に示すようにコイルバネ４１ａを内蔵させたシリンダー４１ｂによるショックアブソーバー４１を架設した。図中４１ｃはコイルバネ４１ａで付勢されるロッドである。
【００３７】
このショックアブソーバー４１は単体で設けてもよいが、本実施形態では、ショックアブソーバー付きのシリンダーとして爆風防止板３２の裏側とレーキ９とに架設するチェーンハンマー位置制御用の油圧またはエアーのシリンダー４２とフランジ結合等で合体させ、両者を一体とした。
【００３８】
図１５は前記ショックアブソーバー４１の他例を示すもので、シリンダー４１ｂにはシリンダーピストン４１ｄを間にしてコイルバネ４１ａを前後に配設したものとした。
【００３９】
次に使用法について説明する。各種情報の事前調査結果から、地雷等があると予想される場所に本発明の地雷処理装置装置（システム）を使用する場合、全体作業の効率性のため、事前の作業準備が必要である。
【００４０】
先ず、作業位置を確認する。作業開始点に基準杭を打ち、杭の位置を明確な測量点からプロットする。これは、作業記録、報告、地雷処理地図作製のため重要である。次いで、作業区画を設定する。作業区画は、機械本体の移動距離を最小にし、作業効率を上げるよう、地形や植生に応じ、アタッチメントであるロータリーカッタやレーキ９の適正な交換を考慮して順序を計画する。
【００４１】
前記ロータリーカッタの図示は省略するが、前記特許文献１の特開平１１−１８３０９５  号公報（特許第３１７７７３７  号）、特許文献２の特開２０００−１３０９９６  号公報（特許第３０１６０１８  号）、特許文献３の特開２００１−７４３９８号公報（特許第３０９６８４７  号）等で示たようなものである。
【００４２】
重機車両１は履帯４や車輪で前進・後退し、また旋回する。運転席３に作業者が乗り、これを運転するが起伏かつ屈折自在なアーム２によりロータリーカッタやレーキ９を操作するが、地表を覆う樹木、灌木、葦、草が地雷等探知作業や処理作業を妨害する場合、ロータリーカッタを横から旋回しつつ移動することにより、簡単に処理できる。
【００４３】
しかし、植生に中に隠れて不発弾があると予想され、作業前の視認が困難な場合、作業段階により安全を確保する。第１段階は、地上３０〜４０ｃｍの高さで、不発弾に触れないように植生をカットする。第２段階は、事後の探知作業を容易に行えるように、植生を１０ｃｍ以下にカットする。
【００４４】
対人地雷の処理は、探知作業により明らかになった対人地雷の位置を重点に、全ての地域をロータリーカッタにより隈なくクリアリングし、対人地雷を処理する。処理作業は、ロータリーカッタのガイド底面を地表に接触させながら、旋回し、ロータリーカッタのカッタビットの刃先が地下３０ｃｍまで達するようにする。土地の固さや地面に凹凸に応じ、旋回速度を変化させたり、２段階作業により十分な深さを確保する。
【００４５】
対人地雷は、ロータリーカッタの高速回転により、爆発することなく破壊され、破片が地上に放出される。種類によっては、信管のみが破裂することがあるが、装置に対する影響はない。
【００４６】
対戦車地雷及び不発弾はロータリーカッタとレーキ９を交換して、チェーン式地雷爆破装置３６で、ドラム３５の回転によってチェーンハンマー３４を地面に叩きつけることにより、地中に埋まった地雷を爆破する。そして、レーキ９は事前に地雷等を掘り起したり、不発地雷を回収したり、チェーンハンマー３４で除去できなかった地雷を深さ５０ｃｍまで掘り起こすことができる。
【００４７】
前記爆破の際は、地雷の爆発による爆風の衝撃をショックアブソーバー４１が吸収することにより、爆風防止板３２とチェーン式地雷爆破装置３６は衝撃を回避できるものとなる。
【００４８】
前記図１５に示すダブルコイルバネ方式のショックアブソーバー４１を用いる場合は、地雷の爆風が生じ、チェーンハンマー３４が上に押し上げられる衝撃をロッド４１ｃと反対側にあるコイルバネ４１ａ（図１５で右側）で吸収し、チェーンハンマー３４が地面に着地するときの衝撃を反対側のコイルバネ４１ａ（図１５で左側）で緩衝する。
【００４９】
爆風防護板３２は運転席３からチェーン式地雷爆破装置３６の操作状況を看取するためと、チェーンハンマー３４の打撃により爆破された地雷の爆風を逃すために上部に窓孔３２ａを設けてあり、また、この窓孔３２ａに設けたチェーンすだれ３８は爆風によるフラグメントが窓孔３２ａを通り越して重機車両１に当たるのを防ぐ。
【００５０】
あえて窓孔３２ａの下辺にチェーンを固定せずにすだれ状にしたのは、爆風の衝撃を受け流しつつフラグメントを食い止めるためで、これが下辺をもチェーンを固定していたら、爆風の衝撃をストレートに受けてしまい、引きちぎられるおそれがあるからである。
【００５１】
【発明の効果】
以上述べたように本発明の地雷処理装置は、チェーンハンマーを地面に叩きつけることにより、地中に埋まった地雷を爆破して処理する場合に、シリンダー等の伸縮機構を初めとして各部品が地雷の爆発に対して損傷を受けるおそれがないものである。
【図面の簡単な説明】
【図１】本発明の地雷処理装置の１実施形態を示す斜視図である。
【図２】本発明の地雷処理装置の１実施形態の要部を示す背面方向から斜視図である。
【図３】本発明の地雷処理装置の１実施形態の要部を示す側面図である。
【図４】本発明の地雷処理装置の爆風防止板の正面と背面の組み合わせ図である。
【図５】本発明の地雷処理装置の重機車両部分の側面図である。
【図６】本発明のチェーンハンマーによるチェーン式地雷爆破装置の斜視図である。
【図７】本発明のチェーンハンマーの別例を示す斜視図である。
【図８】本発明のチェーンハンマーの別例を示す分胴部分の斜視図である。
【図９】本発明のショックアブソーバーの単体使用の伸びた状態と縮んだ状態の斜視図である。
【図１０】本発明のショックアブソーバー付きのシリンダーの伸びた状態と縮んだ状態の斜視図である。
【図１１】アタッチメント着脱装置の伸ばした状態の説明図である。
【図１２】アタッチメント着脱装置の縮めた状態の説明図である。
【図１３】従来例を示す側面図である。
【図１４】他の従来例を示す側面図である。
【図１５】本発明で使用するショックアブソーバーの他例を示す縦断側面図である。
【符号の説明】
１…重機車両
２…起伏かつ屈折自在なアーム
２ａ…ブーム                        ２ｂ…アーム
２ｃ…ブームシリンダ                ２ｄ…アームシリンダ
２ｅ…バケットシリンダ              ３…運転席
４…履帯                            ５…アタッチメント着脱装置
５ａ…リンク機構                    ５ｂ…スライド機構
５ｃ…可動爪                        ５ｄ…ロックバー
５ｅ…セットスクリュー
６…ピン
９…レーキ                          ９ａ…レーキ刃
９ｂ…鋤の刃                        ９ｃ…格子体
１０…排土板                        １０ａ…ブレードシリンダー
１１…カッタビット                  １２…ロータリカッタ
１３…回転ドラム
１５…走行体                        １６…チェーン
１７…チェーン式地雷爆破装置        １８…レーキ回収装置
１９…レーキ本体                    ２０…受板
２１…レーキ刃                      ２２…窓部
２３…トラックフレーム              ２４…揺動アーム
２５…俯仰シリンダ
２７…レーキシリンダ                ２８…取付ブラケット
２９…支持アーム                    ３０…回転軸
３１…揺動シリンダ                  ３２…爆風防止板
３２ａ…窓孔                        ３３…アーム
３４…チェーンハンマー              ３４ａ…チェーン
３４ｂ…分銅                        ３４ｃ…シャックル
３５…ドラム
３６…チェーン式地雷爆破装置        ３７…支持アーム
３８…チェーンすだれ                ３９…モータ
４０…打撃面                        ４１…ショックアブソーバー
４１ａ…コイルバネ                  ４１ｂ…シリンダー
４１ｃ…ロッド                      ４１ｄ…シリンダーピストン
４２…シリンダー
【図１】
2004301439.tif 000003
【図２】
2004301439.tif 000004
【図３】
2004301439.tif 000005
【図４】
2004301439.tif 000006
【図５】
2004301439.tif 000007
【図６】
2004301439.tif 000008
【図７】
2004301439.tif 000009
【図８】
2004301439.tif 000010
【図９】
2004301439.tif 000011
【図１０】
2004301439.tif 000012
【図１１】
2004301439.tif 000013
【図１２】
2004301439.tif 000014
【図１３】
2004301439.tif 000015
【図１４】
2004301439.tif 000016
【図１５】
2004301439.tif 000017